(57)【要約】【課題】本発明は、携帯端末からの葉書発行のための所定情報に基づいて葉書発行のプリントを行わせるための葉書発行処理システムおよび葉書発行プリントシステムに関し、当該地で葉書を作成させて当該地より発送させることを可能とすることを目的とする。【解決手段】葉書発行処理システムが、所定の携帯端末１３から取得した位置情報および葉書発行のための所定情報のうち、位置情報より当該位置をプリント出力端末ＴＢ３０より管轄する葉書発行プリントシステムであるプリント出力端末１４のアドレス情報を抽出し、当該アドレスのプリント出力端末１４に対して当該携帯端末１３から取得した葉書発行のための所定情報、または適宜修正したプリントデータの印刷ファイルを含ませた送信ファイルを作成して通信ネットワーク１２より送信することで、当該プリント出力端末１４で印刷させる構成とする。【選択図】  図１
2005107812.tif 000002
【特許請求の範囲】
【請求項１】
有線または無線で携帯端末が所定数接続されると共に、葉書発行プリントシステムが所定数接続された通信ネットワークに接続されるもので、所定の携帯端末より少なくとも位置情報および葉書発行のための所定情報を、当該通信ネットワークを介して取得する葉書発行処理システムであって、
前記所定の携帯端末より前記通信ネットワークを介して取得した少なくとも位置情報および葉書発行のための所定情報を記憶する記憶手段と、
前記所定数の葉書発行プリントシステムのそれぞれが管轄する地域の位置情報、および前記通信ネットワークを介してアクセスするためのアドレス情報が関連付けられて格納されるデータ格納手段と、
前記記憶手段に記憶された当該携帯端末からの位置情報に基づいて、当該位置を管轄する前記葉書発行プリントシステムのアドレス情報を前記データ格納手段より抽出し、該当の葉書発行プリントシステムに対して前記記憶された葉書発行のための所定情報を送信するための送信ファイルを作成する送信ファイル作成手段と、
前記作成された送信ファイルを、前記抽出したアドレスの葉書発行プリントシステムに送信する通信手段と、
を有することを特徴とする葉書発行処理システム。
【請求項２】
請求項１記載の葉書発行処理システムであって、前記記憶手段に記憶された対応の前記携帯端末からの葉書発行のための所定情報に基づいて、葉書発行のプリントを行うためのプリントデータを印刷ファイルとして作成するプリントデータファイル作成手段を備え、前記送信ファイル作成手段が前記葉書発行のための所定情報に代えて、上記作成された印刷ファイルに基づいて送信ファイルを作成することを特徴とする葉書発行処理システム。
【請求項３】
請求項２記載の葉書発行処理システムであって、前記プリントデータファイル作成手段で印刷ファイルを作成させるに際して、前記対応の携帯端末に対して葉書発行のイメージ情報を表示させて必要に応じて修正データを取得するためのデータ授受を通信手段で行わせる通信画面を生成する通信画面生成手段を備えることを特徴とする葉書発行処理システム。
【請求項４】
有線または無線で携帯端末が所定数接続されると共に、葉書発行のためのデータ処理を行う葉書発行処理システムが通信ネットワークに接続され、所定の携帯端末より少なくとも位置情報および葉書発行のための所定情報を当該葉書発行処理システムが取得して当該位置情報より当該位置を管轄する端末アドレスが特定されて葉書発行プリントのためのプリントデータが第１の印刷ファイルとして当該葉書発行処理システムより提供されるもので、所定の端末アドレスで上記通信ネットワークに所定数接続される葉書発行プリントシステムであって、
前記葉書発行処理システムより前記通信ネットワークを介して取得した第１の印刷ファイルのプリントデータを記憶する記憶手段と、
記憶された前記プリンタデータによる葉書イメージの所定位置に、当該プリントシステム所在地の情報を付加するデータ付加手段と、
記憶された前記プリントデータの第１の印刷ファイルに、前記データ付加手段で付加されたシステム所在地情報を含ませて第２の印刷ファイルを作成する印刷ファイル作成手段と、
前記作成された第２の印刷ファイルに基づいて印刷を行い葉書を発行させる印刷手段と、
を有することを特徴とする葉書発行プリントシステム。
【請求項５】
有線または無線で携帯端末が所定数接続されると共に、葉書発行のためのデータ処理を行う葉書発行処理システムが通信ネットワークに接続され、所定の携帯端末より少なくとも位置情報および葉書発行のための所定情報を当該葉書発行処理システムが取得して当該位置情報より当該位置を管轄する端末アドレスが特定されて当該携帯端末からの葉書発行のための所定情報が当該葉書発行処理システムより提供されるもので、所定の端末アドレスで上記通信ネットワークに所定数接続される葉書発行プリントシステムであって、
前記葉書発行処理システムより前記通信ネットワークを介して取得した葉書発行のための所定情報を記憶する記憶手段と、
記憶された前記葉書発行のための所定情報に当該プリントシステム所在地の情報を付加するデータ付加手段と、
前記データ付加手段で付加された前記プリントシステム所在地の情報、および前記記憶された葉書発行のための所定情報に基づいて印刷ファイルを作成する印刷ファイル作成手段と、
前記作成された印刷ファイルに基づいて印刷を行い葉書を発行させる印刷手段と、
を有することを特徴とする葉書発行プリントシステム。
【発明の詳細な説明】
【技術分野】
【０００１】
本発明は、携帯端末からの葉書発行のための所定情報に基づいて葉書発行のプリントを行わせるための葉書発行処理システムおよび葉書発行プリントシステムに関する。
【背景技術】
【０００２】
近年、携帯電話やモバイルコンピュータ等の携帯端末が普及し、デジタルカメラを内蔵したものも多くなっている。例えば旅行先等の情景を知人等に伝えるために当該地で購入した絵葉書を当該地より郵送することが一般的に行われているが、上記のような携帯端末を持参して旅行先等で撮影した景色等を知人等に絵葉書として郵送したいと望む場合もある。そのためには、当該地で作成した絵葉書を当該地より郵送することが望ましい。
【０００３】
従来、携帯端末で撮影した写真を使用して写真入りカードとして作成するものとしての技術が下記の特許文献に開示されている。この特許文献には、通信端末装置よりコンピュータネットワークを介して印刷業者に印刷させる画像と所定のテキストデータを送信し、当該印刷業者が印刷して写真入り葉書ＣＤを作成するもので、作成した葉書ＣＤを印刷業者の所在地の郵便局や宛先の地方郵便局に投函させるというものである。
【０００４】
【特許文献１】特開平２００２−４４３５５号公報
【発明の開示】
【発明が解決しようとする課題】
【０００５】
ところで、上記特許文献に記載されている写真入りカードの作成は、葉書ＣＤを作成する印刷業者が、葉書発行の発注する側の意図する投函地にあるとは限らず、投函地（葉書発行地）が印刷業者の所在地に限られるか、若しくは宛先地が投函地（葉書発行地）にならざるを得ないという実情となる。
【０００６】
そこで、本発明は上記課題に鑑みなされたもので、携帯端末からの位置情報を用いて当該地で葉書を作成させて当該地より発送させることを可能とする葉書発行処理システムおよび葉書発行プリントシステムを提供することを目的とする。
【課題を解決するための手段】
【０００７】
上記課題を解決するために、請求項１の発明では、有線または無線で携帯端末が所定数接続されると共に、葉書発行プリントシステムが所定数接続された通信ネットワークに接続されるもので、所定の携帯端末より少なくとも位置情報および葉書発行のための所定情報を、当該通信ネットワークを介して取得する葉書発行処理システムであって、前記所定の携帯端末より前記通信ネットワークを介して取得した少なくとも位置情報および葉書発行のための所定情報を記憶する記憶手段と、前記所定数の葉書発行プリントシステムのそれぞれが管轄する地域の位置情報、および前記通信ネットワークを介してアクセスするためのアドレス情報が関連付けられて格納されるデータ格納手段と、前記記憶手段に記憶された当該携帯端末からの位置情報に基づいて、当該位置を管轄する前記葉書発行プリントシステムのアドレス情報を前記データ格納手段より抽出し、該当の葉書発行プリントシステムに対して前記記憶された葉書発行のための所定情報を送信するための送信ファイルを作成する送信ファイル作成手段と、前記作成された送信ファイルを、前記抽出したアドレスの葉書発行プリントシステムに送信する通信手段と、を有する構成とする。
【０００８】
請求項２、３の発明では、「前記記憶手段に記憶された対応の前記携帯端末からの葉書発行のための所定情報に基づいて、葉書発行のプリントを行うためのプリントデータを印刷ファイルとして作成するプリントデータファイル作成手段を備え、前記送信ファイル作成手段が前記葉書発行のための所定情報に代えて、上記作成された印刷ファイルに基づいて送信ファイルを作成する」構成であり、
「前記プリントデータファイル作成手段で印刷ファイルを作成させるに際して、前記対応の携帯端末に対して葉書発行のイメージ情報を表示させて必要に応じて修正データを取得するためのデータ授受を通信手段で行わせる通信画面を生成する通信画面生成手段を備える」構成である。
【０００９】
請求項４の発明では、有線または無線で携帯端末が所定数接続されると共に、葉書発行のためのデータ処理を行う葉書発行処理システムが通信ネットワークに接続され、所定の携帯端末より少なくとも位置情報および葉書発行のための所定情報を当該葉書発行処理システムが取得して当該位置情報より当該位置を管轄する端末アドレスが特定されて葉書発行プリントのためのプリントデータが第１の印刷ファイルとして当該葉書発行処理システムより提供されるもので、所定の端末アドレスで上記通信ネットワークに所定数接続される葉書発行プリントシステムであって、前記葉書発行処理システムより前記通信ネットワークを介して取得した第１の印刷ファイルのプリントデータを記憶する記憶手段と、記憶された前記プリンタデータによる葉書イメージの所定位置に、当該プリントシステム所在地の情報を付加するデータ付加手段と、記憶された前記プリントデータの第１の印刷ファイルに、前記データ付加手段で付加されたシステム所在地情報を含ませて第２の印刷ファイルを作成する印刷ファイル作成手段と、前記作成された第２の印刷ファイルに基づいて印刷を行い葉書を発行させる印刷手段と、を有する構成とする。
【００１０】
請求項５の発明では、有線または無線で携帯端末が所定数接続されると共に、葉書発行のためのデータ処理を行う葉書発行処理システムが通信ネットワークに接続され、所定の携帯端末より少なくとも位置情報および葉書発行のための所定情報を当該葉書発行処理システムが取得して当該位置情報より当該位置を管轄する端末アドレスが特定されて当該携帯端末からの葉書発行のための所定情報が当該葉書発行処理システムより提供されるもので、所定の端末アドレスで上記通信ネットワークに所定数接続される葉書発行プリントシステムであって、前記葉書発行処理システムより前記通信ネットワークを介して取得した葉書発行のための所定情報を記憶する記憶手段と、記憶された前記葉書発行のための所定情報に当該プリントシステム所在地の情報を付加するデータ付加手段と、記データ付加手段で付加された前記プリントシステム所在地の情報、および前記記憶された葉書発行のための所定情報に基づいて印刷ファイルを作成する印刷ファイル作成手段と、前記作成された印刷ファイルに基づいて印刷を行い葉書を発行させる印刷手段と、を有する構成とする。
【発明の効果】
【００１１】
本発明によれば、所定の携帯端末から取得した位置情報およびはがき発行のための所定情報うち、位置情報より当該位置を管轄する葉書発行プリントシステムのアドレス情報を抽出し、当該アドレスの葉書発行プリントシステムに対して当該携帯端末から取得した葉書発行のための所定情報、または適宜修正したプリントデータの印刷ファイルを通信ネットワークより送信して当該葉書発行プリントシステムで印刷させることにより、携帯端末の位置情報に応じた当該地の葉書発行プリントシステムで葉書を作成させて当該地より発送させることを可能とさせることができるものである。
【発明を実施するための最良の形態】
【００１２】
以下、本発明の最良の実施形態を図により説明する。
図１に、本発明に係る葉書発行処理システムの構成図を示す。図１（Ａ）は葉書発行処理システムのブロック構成図、図１（Ｂ）はプリント出力端末テーブルの一例の説明図である。図１（Ａ）において、葉書発行処理システムとしてのネットサーバ１１が、インターネット等の通信ネットワーク１２に接続される。この通信ネットワーク１２は、データ通信を行うプロトコルを共通としてデータ授受を行うネットワークを意味する。
【００１３】
上記通信ネットワーク１２には、所定数の携帯端末１３Ａ〜１３Ｎが有線または無線によりアクセス可能として接続され、また葉書発行プリントシステムとしての所定数のプリント出力端末１４Ａ〜１４Ｎが接続される。ここで、携帯端末とは、携帯電話やモバイルコンピュータ等をいう。当該携帯電話の通信ネットワーク１２への接続は、図示を省略してあるが、携帯電話専用の通信業者のサーバを介して行われ、当該モバイルコンピュータの通信ネットワーク１２への接続は例えばインターネット接続のための通信業者のサーバを介して行われる。
【００１４】
また、上記プリント出力端末１４Ａ〜１４Ｎは、ネットサーバ１１より葉書発行のための情報を取得するための通信機能と、葉書発行のための印刷手段を備える。このプリント出力端末１４Ａ〜１４Ｎは、例えば全国の景勝地等に配置されるが、これに限らず適宜な地に配置される。なお、上記携帯端末１３Ａ〜１３Ｎおよびプリント出力端末１４Ａ〜１４Ｎの構成の一例を、図２（Ａ）、（Ｂ）に示す。
【００１５】
本発明に係るネットサーバ１１は、適宜、制御手段２１、バス２２、インタフェース（ＩＦ）２３、記憶手段２４、通信画面生成手段２５、プリントデータファイル作成手段２６、送信ファイル作成手段２７、通信手段２８およびデータ格納手段であるプリント出力端末テーブル（ＴＢ）２９を備える。なお、プリント出力端末ＴＢ２９は、外付けであってもよい。
【００１６】
上記制御手段３１は、当該サーバ全体を統括的に制御するもので、そのためのプログラムが格納される。上記ＩＦ２３は、通信ネットワーク１２を介して少なくとも携帯端末１３Ａ〜１３Ｎとの間でデータ授受を整合させて行うと共に、プリント出力端末１４Ａ〜１４Ｎに対して送信ファイルを送信する。上記記憶手段２４は、少なくとも所定の携帯端末１３Ａ〜１３Ｎより通信ネットワーク１２を介して取得した少なくとも位置情報および葉書発行のための所定情報を記憶するもので、その他必要なデータの記憶を行うと共に、適宜処理実行の作業領域の役割をも為す。
【００１７】
上記通信画面生成手段２５は、後述のプリントデータファイル作成手段２６で印刷ファイルを作成させるに際して、対応の携帯端末１３Ａ〜１３Ｎからの葉書発行のための所定情報に対して葉書発行のイメージ情報を表示させて必要に応じて修正データを取得するためのデータ授受を通信手段で行わせる通信画面を生成する。上記プリントデータファイル作成手段２６は、記憶手段２４に記憶された対応の携帯端末１３Ａ〜１３Ｎからの葉書発行のための所定情報に基づいて、葉書発行のプリントを行うためのプリントデータを印刷ファイルとして作成する。
【００１８】
上記送信ファイル作成手段２７は、記憶手段２４に記憶された当該携帯端末１３Ａ〜１３Ｎからの位置情報に基づいて、当該位置を管轄するプリント出力端末１４Ａ〜１４Ｎのアドレス情報を後述のプリント出力端末ＴＢ２９より抽出し、該当のプリント出力端末１４Ａ〜１４Ｎに対して当該記憶された葉書発行のための印刷ファイル（または所定情報のみ）を送信するための送信ファイルを作成する。
【００１９】
上記通信手段２８は、通信ネットワーク１２のプロトコルに沿って、携帯端末１３Ａ〜１３Ｎとデータ授受を行い、また該当のプリント出力端末１４Ａ〜１４Ｎに対して送信ファイルを送信する。上記プリント出力端末ＴＢ２９は、所定地域ごとに所定数配置されている葉書発行プリントシステムであるプリント出力端末１４Ａ〜１４Ｎのそれぞれが管轄する地域の位置情報、および通信ネットワーク１２を介してアクセスするためのアドレス情報が関連付けられて格納したテーブルである。
【００２０】
例えば、図１（Ｂ）に示すように、携帯端末１３Ａ〜１３Ｎからの位置情報が緯度データ、経度データとした場合、管轄するプリント出力端末１４Ａ〜１４Ｎの範囲が緯度データの範囲、および経度データの範囲で関連付けられ、当該それぞれのプリント出力端末１４Ａ〜１４Ｎの通信ネットワーク１２よりアクセス可能なアドレス情報が関連付けられたものである。
【００２１】
ここで、図２に、図１に示す携帯端末およびプリント出力端末の構成図を示す。図２（Ａ）は携帯端末のブロック構成図、図２（Ｂ）はプリント出力端末のブロック構成図である。図２（Ａ）において、携帯端末１３（１３Ａ〜１３Ｎ）は、適宜、制御手段３１、バス３２、通信手段３３、記憶手段３４、位置検出手段３５、画面表示手段３６、送信ファイル作成手段３７、入力手段３８および撮像手段３９を備える。なお、撮像手段３９は必ずしも内蔵するものでなくとも、例えばデジタルカメラより撮像データを取り込むものであってもよく、また位置検出手段３５においても外付けのものであってもよい。ところで、当該携帯端末１３が携帯電話の場合には通話手段を備えるが、図示およびその機能等を省略する。
【００２２】
上記制御手段３１は、当該携帯端末１３を統括的に制御するものでそのためのプログラムが格納される。上記通信手段３３は、少なくとも通信ネットワーク１２を介して葉書発行処理システムであるネットサーバ１１とのデータ授受を行わせる。上記記憶手段３４は、後述の位置検出手段３５により検出した位置情報や、葉書発行のために後述の入力手段３８より入力した例えばイメージ情報、通信文情報、差出人情報および宛先情報等を一旦記憶したり、後述の送信ファイル作成手段３７で作成した送信ファイルを一旦記憶したり、また適宜プログラム処理の作業領域の役割を為す。上記位置検出手段３５は、例えばＧＰＳ（Ｇｌｏｂａｌ  Ｐｏｓｉｔｉｏｎｉｎｇ  Ｓｙｓｔｅｍ）と称されている衛生を利用して当該端末の位置情報を得る機能を有するものである。
【００２３】
上記画面表示手段３６は、当該携帯端末１３の処理で必要な情報を表示させる画面（例えば液晶ディスプレイ）であり、ここではネットサーバ１１との通信における葉書発行の情報に応じた葉書イメージ画面等を表示する。上記送信ファイル作成手段３７は、少なくともネットサーバ１１に対して葉書発行のための位置情報、イメージ情報、通信文情報、差出人情報および宛先情報等を送信するための送信ファイルを作成する。上記入力手段３８は、キーボード等の種々のデータ等を入力させる。そして、適宜内蔵される撮像手段３９は、例えばＣＣＤカメラ等の撮像機能を備えたもので、撮像された撮像データは上記記憶手段３４に記憶させるものである。
【００２４】
また、図２（Ｂ）において、葉書発行プリントシステムであるプリント出力端末１４Ａ〜１４Ｎは、適宜、制御手段４１、バス４２、ＩＦ４３、記憶手段４４、データ付加手段４５、印刷ファイル作成手段４６、通信手段４７および印刷手段４８を備える。なお、印刷手段４８はシステム構成として別であってもよい。
【００２５】
上記制御手段４１は、当該端末（システム）を統括的に制御するもので、そのためのプログラムが格納される。上記ＩＦ４３は、上記葉書発行処理システムであるネットサーバ１１とのデータ授受の整合性をとるためのものである。上記記憶手段４４は、少なくともネットサーバ１１より通信ネットワーク１２を介して送られてくる送信ファイルを格納するもので、他に所定のデータ処理を行うための作業領域の役割をも為す。
【００２６】
上記データ付加手段４５は、記憶手段４４に記憶された葉書発行のための上記送信ファイルの印刷のためのデータに当該端末１４Ａ〜１４Ｎの所在地の情報を付加する。上記印刷ファイル作成手段４６は、データ付加手段４５で付加された当該端末の所在地の情報、および上記記憶された葉書発行のための送信ファイルのデータに基づいて印刷ファイルを作成する。そして、印刷手段４８は、上記作成された印刷ファイルに基づいて印刷を行い、葉書を発行するものである。
【００２７】
そこで、図３に、本発明に係る葉書発行処理システム（ネットサーバ）の処理フローチャートを示す。図３において、葉書発行処理システムであるネットサーバ１１は、まず、一の携帯端末１３（１３Ａ〜１３Ｎ）よりアクセスされて、当該携帯端末１３より少なくとも位置情報、イメージ情報、通信文情報、差出人情報、宛先情報を取得して記憶手段２４に記憶する（ステップ（Ｓ）１）。そして、記憶手段２４に記憶した取得情報中の位置情報（例えば緯度データ、経度データ）より、プリント出力端末ＴＢ２９を参照して対応のプリント出力端末１４Ａ〜１４Ｎのアドレス情報を抽出する（Ｓ２）。
【００２８】
続いて、プリントデータファイル作成手段２６が、記憶手段２４に記憶したイメージ情報、通信文情報、差出人情報および宛先情報等に基づいてプリント出力（葉書発行）するためのプリントデータファイル（印刷ファイル）を作成する（Ｓ３）。そして、通信画面生成手段２５が、上記作成したプリントデータファイル（印刷ファイル）に基づいてプリント時のイメージ画面を作成し、当該イメージ画面が「ＯＫ」か「修正」かの応答ボタンの画面を生成して対応の携帯端末１３に送信する（Ｓ４）。
【００２９】
そこで、当該携帯端末１３より「修正」の信号を入力したときに（Ｓ５）、当該通信画面生成手段２５が修正データ要求の画面を生成して当該携帯端末１３に送信させる（Ｓ６）。当該携帯端末１３より修正データを取得すると、これを記憶手段２４に記憶されている対応のデータを更新して記憶する（Ｓ７）。
【００３０】
そして、上記Ｓ３およびＳ４のステップの処理を、当該携帯端末１３より「ＯＫ」信号を入力するまで繰り返し、当該「ＯＫ」信号を取得した後に、作成したプリントデータファイル（印刷ファイル）と、送信ファイル作成手段２７が上記位置情報より抽出したプリント出力端末１４Ａ〜１４Ｎのアドレス情報より送信ファイルを作成する（Ｓ８）。そして、通信手段２８が、通信ネットワーク１２を介して作成した送信ファイルを当該アドレスのプリント出力端末１４Ａ〜１４Ｎに送信するものである（Ｓ９）。
【００３１】
ここで、図４に、本発明に係る葉書発行処理システムに情報を提供する携帯端末の処理フローチャートを示す。図４において、携帯端末１３（１３Ａ〜１３Ｎ）は、まず、内蔵のまたは外付けの撮像手段３９で撮像したイメージ情報と、内蔵または外付けの位置検出手段３５による位置情報とを取り込んで記憶手段３４に記憶させる（Ｓ１１）。また、入力手段３８（画面表示手段３６）により、上記記憶したイメージ情報を指定すると共に、少なくとも通信文情報、差出人情報および宛先情報を入力するもので、この入力データが記憶手段３４に一旦記憶される（Ｓ１２）。
【００３２】
そこで、送信ファイル作成手段３７が、指定されたイメージ情報、入力された通信文情報、差出人情報、宛先情報および位置情報に基づいて送信ファイルを作成する（Ｓ１３）。そして、ネットサーバ１１にアクセスして（Ｓ１４）、上記作成した送信ファイルを送信する（Ｓ１５）。ネットサーバ１１より、上記送信した送信ファイルに基づいて作成された発行葉書のイメージ画面および「ＯＫ」か「修正」ボタンの表示画面を取得する（Ｓ１６）。修正の場合において（Ｓ１７）、「修正」信号を送信すると（Ｓ１８）、ネットサーバ１１より送信されてくる修正画面を取得し（Ｓ１９）、適宜入力手段３８で修正した修正データを当該ネットサーバ１１に送信する（Ｓ２０）。
【００３３】
そして、ネットサーバ１１より修正されたプリント時のイメージ画面を再度取得して（Ｓ１６）、ＯＫとなるまで当該Ｓ１６〜Ｓ２０が繰り返される。当該携帯端末１３より「ＯＫ」信号をネットサーバ１１に送信することで当該ネットサーバ１１に対する葉書発行の手続が終了する（Ｓ１７、Ｓ２１）。
【００３４】
続いて、図５に、本発明に係る葉書発行プリントシステムの処理フローチャートを示すと共に、図６に、本発明に係る葉書発行プリントシステムで発行される葉書の一例の説明図を示す。図５において、葉書発行プリントシステムであるプリント出力端末１４Ａ〜１４Ｎは、まず、ネットサーバ１１よりプリントデータファイル（第１の印刷ファイル）を含む送信ファイルを取得して記憶手段４４に記憶する（Ｓ３１）。そこで、データ付加手段４５により記憶したプリントデータファイル（第１の印刷ファイル）に基づいて当該システムの所在地のプリントデータが付加され、印刷ファイル作成手段４６がデータ付加されたものに基づいて印刷ファイル（第２の印刷ファイル）を作成する（Ｓ３２）。そして、上記印刷手段４８により印刷を行うことによって葉書を作成（発行）するものである（Ｓ３３）。
【００３５】
すなわち、図６（Ａ）、（Ｂ）に示すように、作成される葉書５１の表面には、例えば宛先情報５２、データ付加された発行地の所在地付加情報５３、通信文情報５４および差出人情報５５が印刷され、裏面にはイメージ情報５６が印刷されるものである。なお、所在地付加情報５３、通信文情報５４および差出人情報５５は、表面、裏面の何れに印刷を行ってもよい。
【００３６】
このように、携帯端末１３Ａ〜１３Ｎの位置情報に応じた当該地の葉書発行プリントシステムであるプリント出力端末１４Ａ〜１４Ｎで葉書を作成させることができ、これによって当該地（葉書発行地）より発送させることを可能とさせることができるものである。このことは、例えば旅行先等で絵葉書を購入することなく、また郵便局等を捜したり出向いたりせずに、景色を撮影したその場において当該地の管轄内で絵葉書を作成させて発送（または郵送）させることができるようになるものである。
【００３７】
ところで、上記実施形態とは異なり、葉書発行処理システムであるネットサーバ１１において、対応の携帯端末１３（１３Ａ〜１３Ｎ）に対して葉書発行のイメージ画面を返信することなく、直ちに確定させることとしてもよい（通信画面生成手段２５が不要となる）。
【００３８】
また、ネットサーバ１１において、当該携帯端末１３（１３Ａ〜１３Ｎ）より得たイメージ情報、通信文情報、差出人情報および宛先情報に基づいてプリントデータファイル（第１の印刷ファイル）を作成せずに、当該各情報のみの送信ファイルを作成して位置情報より得たアドレスの葉書発行プリントシステムであるプリント出力端末１４Ａ〜１４Ｎに送信することとしてもよい（プリントデータファイル作成手段２６が不要となる）。この場合、各プリント出力端末１４Ａ〜１４Ｎでは、送信ファイルのイメージ情報、通信文情報、差出人情報および宛先情報と、付加した所在地付加情報とにより印刷ファイルを作成することとなるものである。
【産業上の利用可能性】
【００３９】
本発明の葉書発行処理システムおよび葉書発行プリントシステムは、携帯端末の位置情報に基づいて当該地で葉書を発行させる場合に適している。
【図面の簡単な説明】
【００４０】
【図１】本発明に係る葉書発行処理システムの構成図である。
【図２】図１に示す携帯端末およびプリント出力端末の構成図である。
【図３】本発明に係る葉書発行処理システムの処理フローチャートである。
【図４】本発明に係る葉書発行処理システムに情報を提供する携帯端末の処理フローチャートである。
【図５】本発明に係る葉書発行プリントシステムの処理フローチャートである。
【図６】本発明に係る葉書発行プリントシステムで発行される葉書の一例の説明図である。
【符号の説明】
【００４１】
１１                葉書発行処理システム
１２                通信ネットワーク
１３                携帯端末
１４                プリント出力端末
５１                葉書
５２                宛先情報
５３                所在地付加情報
５４                通信文情報
５５                差出人情報
５６                イメージ情報
【図１】
2005107812.tif 000003
【図２】
2005107812.tif 000004
【図３】
2005107812.tif 000005
【図４】
2005107812.tif 000006
【図５】
2005107812.tif 000007
【図６】
2005107812.tif 000008